(57)【特許請求の範囲】
【請求項１】
隣接する傾斜面の間に稜線を有し、複数の屋根板を連結配置した屋根において、
前記屋根板は、傾斜面上方側の端部を巻き込んだ係合部と、傾斜面下方側の端部を前記傾斜面上方側の係合部と反対側に巻き込んだ係合部と、を備え、
前記傾斜面上方側の係合部と前記傾斜面下方側の係合部を互いに引っかけることにより、前記傾斜面の上下方向に隣接する前記屋根板が連結されるとともに、
前記屋根板は、屋根の棟から軒先に至る傾斜面上に立設させた立ち上がり部を有し、該立ち上がり部は傾斜方向に所定間隔で形成されるとともに、立ち上がり部の端部が前記稜線と一定の距離をもって位置するように配設され、
前記稜線の下端部側には竪樋が配設されたことを特徴とする屋根。
【請求項２】
前記屋根板に形成された係合部のうち、前記傾斜面上方側の係合部は、前記屋根板の端部を屋根側から外側に折り返すことにより形成され、前記傾斜面下方側の係合部は、前記屋根板の端部を外側から屋根側に折り返すことにより形成されたことを特徴とする請求項１記載の屋根。
【請求項３】
前記屋根板は、前記屋根板に形成された係合部の少なくとも一方が前記屋根に釘打ちされることにより固定されたことを特徴とする請求項１または２記載の屋根。
【請求項４】
前記立ち上がり部が形成された屋根板の少なくとも一方側には、前記立ち上がり部が形成されていない屋根板が連結されたことを特徴とする請求項１乃至３いずれか一つに記載の屋根。
【発明の詳細な説明】
【０００１】
【発明の属する技術分野】
本発明は建造物の屋根に関し、特に寒冷地において屋根に降った雨水を安定して樋へと導いて軒先における氷柱の発生を防止し、さらに屋根に堆積した雪の急速な滑落を防止する屋根に関する。
【０００２】
【従来の技術】
一般に、寒冷地において、住宅等の勾配屋根を有する建物には、軒先に軒樋が設置されていないことが多い。これは冬期において、軒先に発生する積雪の巻き垂れや、融雪水が結氷することにより軒樋周縁に氷柱が大きく生成するため、容易に軒樋が損壊する雪氷障害を避けられないからである。このため、図８の従来例に示すように、軒樋１０２に樋覆板１０３を設けて、屋根雪が滑落しても、軒樋１０２内に落ち込まないようにする方法や、図９に示すように、軒樋１０２の底部に発熱線１０４を延設して外気温度が０℃以下になるような場合に通電し、軒樋１０２を加熱し、さらに長さ方向に所定の間隙を有する樋覆板１０３を設けて放熱を防止することにより低温時の氷結を防止する方法等が提案されている。
【０００３】
しかし上記図８に示す従来技術を用いても、厳寒地域においては、屋根面からの融雪水は最も冷える樋覆板１０３や軒樋１０２部分で凍結し、軒樋１０２周縁に発生する氷柱の発生を防止することができなかった。
【０００４】
また、図９に示す従来技術においても、風雪が激しく低温の気象条件の下では、樋覆板１０３が冷却されるため樋覆板１０３上に積雪してしまい、この積もった雪に屋根面からの融雪水が含浸して凍結し、融雪水が軒樋１０２内に滴下不能となるとともに、軒樋１０２周縁に回り込んで氷柱を生成し軒樋１０２を損壊してしまうという問題があった。
【０００５】
このように、降雪により屋根に積もった雪は通常その下層から溶け出し、その融雪水は軒先端縁から地上へ流下または滴下する。そして、気候条件によっては、軒先端縁から落下する融雪水がここで再び氷結し、軒先に氷柱が成長する。この氷柱は除雪の邪魔になるのみならず、場合によっては危険が生じることがあるので、その成長を防止することのできる屋根が望まれている。
【０００６】
本発明は、上記の問題点に着目してなされたものであり、その目的は、寒冷地における建物において、屋根上の雨水や融雪水を軒先に滴下させずに安定して集水し、軒先における氷柱の発生を防止した屋根を提供することにある。
【０００７】
また本発明のさらに他の目的は、屋根に降り積もった雪の軒先側への急な滑落を防いだ屋根構造を提供することにある。
【０００８】
【課題を解決するための手段】
本発明の請求項１に係る屋根は、隣接する傾斜面の間に稜線を有し、複数の屋根板を連結配置した屋根において、前記屋根板は、傾斜面上方側の端部を巻き込んだ係合部と、傾斜面下方側の端部を前記傾斜面上方側の係合部と反対側に巻き込んだ係合部と、を備え、前記傾斜面上方側の係合部と前記傾斜面下方側の係合部を互いに引っかけることにより、前記傾斜面の上下方向に隣接する前記屋根板が連結されるとともに、前記屋根板は、屋根の棟から軒先に至る傾斜面上に立設させた立ち上がり部を有し、該立ち上がり部は傾斜方向に所定間隔で形成されるとともに、立ち上がり部の端部が前記稜線と一定の距離をもって位置するように配設され、前記稜線の下端部側には竪樋が配設されたことを特徴とする。
【０００９】
前記屋根板に形成された係合部のうち、前記傾斜面上方側の係合部は、前記屋根板の端部を屋根側から外側に折り返すことにより形成され、前記傾斜面下方側の係合部は、前記屋根板の端部を外側から屋根側に折り返すことにより形成されていると好適である。また、前記屋根板は、前記屋根板に形成された係合部の少なくとも一方が前記屋根に釘打ちされることにより固定されていると良い。さらに、前記立ち上がり部が形成された屋根板の少なくとも一方側には、前記立ち上がり部が形成されていない屋根板が連結されていると好適である。
【００１０】
このように本発明の屋根は、屋根板に立ち上がり部が形成されて、傾斜方向に所定間隔で配設され、さらに立ち上がり部の端部が屋根の稜線と一定の距離をもって位置するように配設されており、屋根上に降水があったり或いは屋根上の雪が溶けて融雪水となったときに、雨水や融雪水が屋根の傾斜に沿って流れ、立ち上がり部に突き当たるように構成されている。そして雨水や融雪水は立ち上がり部に沿って流れ、この立ち上がり部上に雨水が溜まってくると、より下方に位置する立ち上がり部に突き当たる。或いは立ち上がり部と屋根の稜線との間を流下する。このようにして、最終的に雨水や融雪水は稜線下端部において竪樋へ集水されるように構成されている。
【００１１】
以上のように本発明の屋根によれば、屋根板に立ち上がり部が形成され、稜線下端部に竪樋が配設されることにより、屋根上の雨水や融雪水を確実に集水することができる。また、雨水や融雪水が軒先から滴下しないので、軒先で融雪水が再氷結することにより生成される氷柱の発生を防止することができる。
【００１２】
さらに、屋根上に形成された立ち上がり部は雪止めとして、屋根の上に積もった雪を保持することができるので、軒先からの雪の急な滑落を防止することが可能となる。
【００１３】
【発明の実施の形態】
本発明は、隣接する傾斜面１１の間に稜線１２を有し、複数の屋根板１３を連結配置した屋根１０に関するものである。屋根板１３は、傾斜面１１上方側の端部を巻き込んだ係合部１３ａと、傾斜面１１下方側の端部を傾斜面１１上方側の係合部１３ａと反対側に巻き込んだ係合部１３ａを備え、傾斜面１１上方側の係合部１３ａと傾斜面１１下方側の係合部１３ａを引っかけることにより、傾斜面１１の上下方向に隣接する屋根板１３が連結されている。また、屋根板１３には、棟２から軒先３に至る屋根１０の傾斜面１１上に立設させた立ち上がり部１４が形成されている。立ち上がり部１４は傾斜方向に所定間隔で形成されるとともに、立ち上がり部１４の端部１４ａが稜線１２と一定の距離をもって位置するように配設されている。そして稜線１２の下端部側には、竪樋１７が配設されている。
【００１４】
また、屋根板１３に形成された係合部１３ａのうち、傾斜面１１上方側の係合部１３ａは、屋根板１３の端部を屋根側から外側に折り返すことにより形成され、傾斜面１１下方側の係合部１３ａは、屋根板１３の端部を外側から屋根側に折り返すことにより形成されている。
【００１５】
なお、屋根板１３は、屋根板１３に形成された係合部１３ａの少なくとも一方が屋根に釘打ちされることにより固定されている。さらに、立ち上がり部１４が形成された屋根板１３の少なくとも一方側には、立ち上がり部１４が形成されていない屋根板１３が連結されている。
【００１６】
以上のように構成されているので、屋根上に降水があったり或いは屋根上の雪が溶けて融雪水となったときに、雨水や融雪水が屋根の傾斜に沿って流れ、屋根１０上に形成された立ち上がり部１４に突き当たる。雨水や融雪水は、立ち上がり部１４上に一度溜まった後に、立ち上がり部１４の端部１４ａ及び長辺部１４ｂから流出して、さらに下方の立ち上がり部１４へ流出する。また立ち上がり部１４の端部１４ａと屋根の稜線１２との間を流通路１５として、この流通路１５を降下する。
【００１７】
なお、立ち上がり部１４の端部１４ａは、屋根１０の稜線１２と一定の距離をもって配設されている。そして屋根１０は、屋根面が台形或いは三角形の形状に形成されている。従って屋根面上において、棟２側よりも軒先３側に設けられている立ち上がり部１４の長さの方がより長くなるように構成される。
【００１８】
よって、屋根１０上の雨水や融雪水は、先ず棟２側に位置する立ち上がり部１４に突き当り、この立ち上がり部１４上に水が溜まってくると、立ち上がり部１４の端部１４ａ及び長辺部１４ｂから流出して、さらに下方の立ち上がり部１４或いは流通路１５へ流出する。下方へ流れるに従って、立ち上がり部１４の長さが長くなるので、立ち上がり部１４上の水の量は次第に減少して行く。こうして雨水や融雪水は、複数の立ち上がり部１４及び流通路１５を経由し、最終的に軒先３から滴下せずに屋根１０の稜線１２下端部において竪樋１７へ集水される。
【００１９】
このように本発明の屋根１０によれば、屋根板１３に立ち上がり部１４が形成され、稜線１２下端部に竪樋１７が配設されることにより、軒先３には、特に寒冷地において積雪等により損壊の発生しやすかった軒樋を用いることなく、竪樋１７のみを用いて確実に集水することが可能となる。また、雨水が軒先から滴下することがなく、軒先において融雪水が再氷結することにより生成される氷柱の発生を防止することができる。さらに立ち上がり部１４は雪止めとして、屋根の上に積もった雪の急な滑落を防止することができる。
【００２０】
【実施例】
以下、本発明の一実施例を図面に基づいて説明する。なお、以下に説明する部材，配置等は本発明を限定するものでなく、本発明の趣旨の範囲内で種々改変することができるものである。
【００２１】
図１乃至図５は本発明に係る実施例を示すものであり、図１は本発明の屋根を有する建物の斜視図、図２は本発明の屋根の平面図、図３は本発明の屋根の断面図、図４は図３の要部断面図、図５は竪樋の説明図である。
【００２２】
本発明の屋根１０は隣接する傾斜面の間に稜線を有し、複数の屋根板１３を連結配置した屋根である。図１においては、寄棟構造の建物における屋根１０が示されている。屋根１０の傾斜面１１は、図１に示すように、各一対の建物長辺側の屋根面１１ａと建物短辺側の屋根面１１ｂとから構成されている。そして屋根面１１ａと屋根面１１ｂとの間には稜線１２、いわゆる隅くだり棟が位置している。なお、本実施例の屋根１０においては、屋根面１１ａは台形に、屋根面１１ｂは三角形に形成されている。
【００２３】
屋根１０は図３に示すように、屋根下地４上に防風防湿シート５を配設しルーフィングを行い、屋根板１３で覆われて構成されている。屋根板１３は、例えば屋根カラー鉄板からなり、端部に巻回した係合部１３ａを有し、隣接する屋根板１３はこの係合部１３ａにより連接されている。屋根板１３は屋根１０へ、図４で示すように釘６により釘打ちを行うことにより固定されている。
【００２４】
そして屋根１０屋根面１１ａ及び屋根面１１ｂ上においては、屋根の傾斜方向、即ち雨水が流れる方向と直交するように、立ち上がり部１４が形成されている。この立ち上がり部１４は図３に示すように、屋根板１３において形成されるものであり、屋根板１３に、屋根１０から立ち上がるような折り曲げを設けることにより形成される。なお折り曲げは、間に空隙ができないように形成する。
【００２５】
上記立ち上がり部１４は、図２に示すように、屋根１０上に長尺状に配設される。このため、立ち上がり部１４の形成された屋根板１３を左右に連接させて、立ち上がり部１４が連なるように屋根上に配設する。或いは予め長尺に形成されたパネル状の屋根板１３を使用して、この屋根板１３に立ち上がり部１４を形成する。
【００２６】
さらに立ち上がり部１４は、図３に示すように、屋根板１３において、屋根の傾斜方向に１つおきに形成されている。このように屋根１０の大きさに応じて立ち上がり部１４を適切な間隔で形成する。また立ち上がり部１４の端部１４ａは、稜線１２と一定の距離をもって配設される。
【００２７】
立ち上がり部１４は所定間隔で複数形成され、また立ち上がり部１４の端部１４ａは、稜線１２と一定の距離をもって配設されるので、立ち上がり部１４の端部１４ａと稜線１２との間に図２に示すように流通路１５が形成される。この流通路を、屋根１０上の雨水や融雪水が通過して、稜線１２下端部へ流下するように構成されている。
【００２８】
また立ち上がり部１４は図２に示すように、屋根面１１ａ及び屋根面１１ｂ上で、棟２側よりも軒先３側に配設されている立ち上がり部１４の方がより長くなるように構成される。
【００２９】
さらに本発明の屋根１０の稜線１２の下端部側には、竪樋１７が設けられている。竪樋１７は図５で示すように上部に集水部１７ａを有している。雨水や融雪水は流通路１５に導かれて、先ず集水部１７ａに流れ込み、最終的に地上或いは下水へ排水されるように構成されている。
【００３０】
本実施例の屋根板１３について、より詳細に説明すると、屋根板１３には、図４に示すように、傾斜面１１上方側の端部を巻き込んだ係合部１３ａと、傾斜面１１下方側の端部を傾斜面１１上方側の係合部１３ａと反対側に巻き込んだ係合部１３ａとが形成されている。そして、傾斜面１１上方側の係合部１３ａと傾斜面１１下方側の係合部１３ａを引っかけることにより、傾斜面１１の上下方向に隣接する屋根板１３が連結されている。
【００３１】
なお、本例では、図４に示すように、屋根板１３に形成された係合部１３ａのうち、傾斜面１１上方側の係合部１３ａは、屋根板１３の端部を屋根側から外側に折り返すことにより形成され、傾斜面１１下方側の係合部１３ａは、屋根板１３の端部を外側から屋根側に折り返すことにより形成されている。
【００３２】
さらに、本例では、図３に示すように、立ち上がり部１４が形成された屋根板１３に隣接して、立ち上がり部１４が形成されていない屋根板１３が連結されている。
【００３３】
本例の屋根板１３は上記構成からなり、釘６により屋根に固定されている。本例では、図４に示すように、屋根板１３に形成された係合部１３ａの少なくとも一方（図４では傾斜面１１上方側に位置する係合部１３ａ）が屋根に釘打ちされることにより固定されている。
【００３４】
次に本発明の屋根における雨水及び融雪水の流れについて説明する。屋根に降雨或いは降雪があると、雨水や融雪水は、屋根の傾斜に沿って流れようとし、雨水や融雪水は屋根面１１ａ，１１ｂ上を流れながら立ち上がり部１４に突き当たる。そして雨水や融雪水は次第に立ち上がり部１４上に溜まり、その後、立ち上がり部１４の端部１４ａから流れ出すとともに、立ち上がり部１４を乗り越えて立ち上がり部１４の長辺部１４ｂから流れ出す。
【００３５】
上記立ち上がり部１４から流出した雨水や融雪水は、下方の屋根面上へ流れ、さらに下方に位置する立ち上がり部１４或いは流通路１５へと流れる。このようにして、雨水や融雪水は屋根面上を流下していく。
【００３６】
そして、屋根面１１ａ，１１ｂ上の立ち上がり部１４は、棟２側に位置する立ち上がり部１４よりも、軒先３側に位置している立ち上がり部１４の方がより長く構成されている。よって、屋根上に降った雨水が下方へ流れるに従って、より長い立ち上がり部１４に突き当たるため、立ち上がり部１４の長辺部１４ｂから流出しにくくなる。そして雨水や融雪水は軒先側へ流下しながら、最終的に流通路１５を通って、稜線１２の下端部側において竪樋１７へと流れ込んで集水される。
【００３７】
以上のように本発明の屋根によれば、屋根板に立ち上がり部が形成され、稜線下端部に竪樋が配設されることにより、屋根上の雨水や融雪水を集水することができる。よって従来のように、軒樋が積雪や氷柱により損壊したり、融雪水の氷結により軒樋が塞がれたりすることなく、雨水や融雪水を確実に樋へと導くことができる。また、雨水や融雪水が軒先から滴下することがないので、融雪水が軒先端縁で再氷結することにより生成される氷柱の発生を防ぐことができる。さらに立ち上がり部は雪止めとして、屋根の上に積もった雪を保持し、軒先からの急な滑落を防止することができる。
【００３８】
このように本発明の屋根は寒冷地の建物において好適に使用されるものであるが、夏期においても、屋根上の雨水を軒先から滴下させることなく集水することができるので、軒下にいる人や置物に雨水がかかるのを防いだり、軒下の地面の雨水によるぬかりを防止することができる。さらに雨水は複数の立ち上がり部を徐々に流下しながら流通路へと導かれて竪樋に集水されるので、雨水が一度に竪樋へ流れ込むことがなく、安定して集水できるので、竪樋の損壊や雨水の跳ね返りによる建物の腐朽及び汚れを防止することができる。
【００３９】
なお、本実施例においては、建物長辺側の屋根面と建物短辺側の屋根面において、それぞれ立ち上がり部を４条ずつ形成した例を示したが、これに限らず建物や屋根の大きさに従って、立ち上がり部の本数を調整するものとする。
【００４０】
また、上記実施例では寄棟構造の建物における例を示したが、これに限らず、隣接する傾斜面の間に稜線を有する屋根をもつ建物であれば良く、例えば方形構造の建物等に本発明の屋根を用いることができるのは勿論である。
【００４１】
図６及び図７は本発明の参考例を示す説明図である。本例において上記実施例と同様部材には同一符号を付してその説明を省略する。
【００４２】
図６は凸条部を示す説明図である。本実施例では、屋根１０上に複数の凸条部１６が配設されている。凸条部１６は、図で示すように、断面矩形の角柱状の長尺部材から形成されており、屋根面１１ａ及び屋根面１１ｂ上において、屋根の傾斜方向、即ち雨水が流れる方向と直交するように配設される。凸条部１６は所定間隔で配設されるとともに、凸条部１６の端部は稜線１２と一定の距離をおいて配設されるものとする。また凸条部１６は、屋根面１１ａ及び屋根面１１ｂ上で、棟２側よりも軒先３側に配設されている凸条部１６の方がより長くなるように構成される。
【００４３】
そして屋根１０上に降水があったり或いは屋根上の雪が溶けて融雪水となったときに、雨水や融雪水が屋根の傾斜に沿って流れ、凸条部１６に突き当たるように構成されている。そして雨水や融雪水は凸条部１６に沿って流れ、凸条部１６上に雨水が溜まってくると、より下方に位置する凸条部１６に突き当たる。或いは凸条部１６と屋根の稜線１２との間に形成された流通路１５を流下する。このようにして、最終的に雨水や融雪水は稜線１２の下端部において集水される。
【００４４】
なお、凸条部１６は上記角柱状の長尺部材に限らず、例えば、図７に示すように断面Ｌ字状の長尺部材から形成し、この部材の一方の辺を屋根面上に固定する構成としても良い。
【００４５】
上記のように凸条部１６を使用することにより、屋根板１３が折り曲げ不可能な部材で構成されているときにおいても、凸条部１６を屋根上に配設するだけで、屋根上の雨水等を稜線下端部で集水して、軒先からの水の滴下を防ぐとともに、雪の滑落を防止することができる。
【００４６】
【発明の効果】
以上のように本発明の屋根は、屋根板に立ち上がり部が形成され、稜線下端部に竪樋が配設されることにより、確実に雨水や融雪水の集水を行うことができ、軒先における軒樋を不要化することが可能となる。また軒先に融雪水を滴下させない構成であるため、軒先における氷柱の発生を防止することが可能となる。また立ち上がり部が雪止めとして、屋根に降り積もった雪の滑落を防ぐので、特に寒冷地において好適に使用することができる。
【図面の簡単な説明】
【図１】本発明の屋根を有する建物の斜視図である。
【図２】本発明の屋根の平面図である。
【図３】本発明の屋根の断面図である。
【図４】図３の要部拡大図である。
【図５】本発明の竪樋を示す説明図である。
【図６】凸条部を示す説明図である。
【図７】凸条部の他の例を示す説明図である。
【図８】従来例を示す説明図である。
【図９】従来例を示す説明図である。
【符号の説明】
２  棟
３  軒先
１０  屋根
１１  傾斜面
１１ａ  屋根面
１１ｂ  屋根面
１２  稜線
１３  屋根板
１４  立ち上がり部
１５  流通路
１６  凸条部
１７  竪樋
【図１】
0003939411.tif 000002
【図２】
0003939411.tif 000003
【図３】
0003939411.tif 000004
【図４】
0003939411.tif 000005
【図５】
0003939411.tif 000006
【図６】
0003939411.tif 000007
【図７】
0003939411.tif 000008
【図８】
0003939411.tif 000009
【図９】
0003939411.tif 000010